(57)【要約】【課題】背表紙と反対側において第１表紙と第２表紙との間隔が扇状に広がることを抑制することができる保持具およびそれを備えたファイルを提供する。【解決手段】  保持具１０は、互いに向かい合うように背表紙２に接続された第１表紙１および第２表紙２を保持するための保持具１０である。保持具１０は、第１表紙１に取り付けられる第１取付部１１と、第２表紙２に取り付けられる第２取付部１２と、第１取付部１１と第２取付部１２とを接続する本体部１３とを備えている、本体部１３は、第１表紙１と第２表紙２との間隔を保持するように構成されている。【選択図】図１
2020124893.tif 000002
【特許請求の範囲】
【請求項１】
互いに向かい合うように背表紙に接続された第１表紙および第２表紙を保持するための保持具であって、
前記第１表紙に取り付けられる第１取付部と、
前記第２表紙に取り付けられる第２取付部と、
前記第１取付部と前記第２取付部とを接続する本体部とを備え、
前記本体部は、前記第１表紙と前記第２表紙との間隔を保持するように構成されている、保持具。
【請求項２】
前記第１取付部は、前記第１表紙に固定されており、
前記第２取付部は、前記第２表紙に着脱可能に取り付けられている、請求項１に記載の保持具。
【請求項３】
前記本体部は、前記背表紙と向かい合う第１位置または前記背表紙と交差する第２位置のいずれかに配置されるように構成されている、請求項１または２に記載の保持具。
【請求項４】
前記本体部は、表示部を含み、
前記表示部は、前記第１表紙と前記第２表紙との間の空間に対して前記背表紙と反対側に配置されている、請求項１〜３のいずれか１項に記載の保持具。
【請求項５】
前記本体部は、前記第１表紙と前記第２表紙とが向かい合う第１方向に凹む第１凹部と、前記第１方向に交差する第２方向に凹む第２凹部とを含む、請求項１〜４のいずれか１項に記載の保持具。
【請求項６】
前記本体部は、前記本体部の前記第１方向および前記第２方向の中央に配置された中央部を含み、
前記中央部に貫通孔が設けられている、請求項５に記載の保持具。
【請求項７】
請求項１〜６のいずれか１項に記載の保持具を備えた、ファイル。
【発明の詳細な説明】
【技術分野】
【０００１】
本発明は、保持具およびそれを備えたファイルに関するものである。
【背景技術】
【０００２】
従来、背表紙と、背表紙に接続された第１表紙および第２表紙と、背表紙に取り付けられた綴じ具とを備えたファイルが用いられている。
【発明の概要】
【発明が解決しようとする課題】
【０００３】
使用者が上記のファイルを書棚等に収納する際、使用者は、背表紙と、第１表紙および第２表紙の背表紙側の部分とをつかんでファイルを持ち上げる。この際、綴じ具に綴じられた書類等に第１表紙および第２表紙の少なくともいずれかが押されることにより、背表紙と反対側において第１表紙と第２表紙との間隔が扇状に広がることがある。このように背表紙と反対側において第１表紙と第２表紙との間隔が扇状に広がると、使用者が片手でファイルをつかんでファイルを書棚等に収納することは困難である。
【０００４】
本発明は、上記課題に鑑みてなされたものであり、その目的は、背表紙と反対側において第１表紙と第２表紙との間隔が扇状に広がることを抑制することができる保持具およびそれを備えたファイルを提供することである。
【課題を解決するための手段】
【０００５】
本発明の保持具は、互いに向かい合うように背表紙に接続された第１表紙および第２表紙を保持するための保持具である。保持具は、第１表紙に取り付けられる第１取付部と、第２表紙に取り付けられる第２取付部と、第１取付部と第２取付部とを接続する本体部とを備えている、本体部は、第１表紙と第２表紙との間隔を保持するように構成されている。
【発明の効果】
【０００６】
本発明の保持具によれば、本体部は、第１表紙に取り付けられる第１取付部と第２表紙に取り付けられる第２取付部とを接続し、第１表紙と第２表紙との間の間隔を保持するように構成されている。このため、本体部によって第１表紙と第２表紙との間隔が保持される。したがって、背表紙と反対側において第１表紙と第２表紙との間隔が扇状に広がることを抑制することができる。
【図面の簡単な説明】
【０００７】
【図１】本発明の実施の形態１におけるファイルの斜視図である。
【図２】本発明の実施の形態１におけるファイルを背表紙と反対側から見た正面図である。
【図３】図１に示すファイルの分解斜視図である。
【図４】本発明の実施の形態１におけるファイルの変形例の斜視図である。
【図５】図２に示すファイルの分解斜視図である。
【図６】本発明の実施の形態２におけるファイルの斜視図である。
【図７】図６のＶＩＩ−ＶＩＩ線に沿う拡大断面図である。
【図８】図６のＶＩＩＩ−ＶＩＩＩ線に沿う拡大断面図である。
【図９】本発明の実施の形態２における保持具の変形例の正面図である。
【図１０】本発明の実施の形態３におけるファイルを背表紙と反対側から見た正面図である。
【図１１】本発明の実施の形態４におけるファイルを背表紙と反対側から見た正面図である。
【図１２】本発明の実施の形態４におけるファイルの変形例を背表紙と反対側から見た正面図である。
【図１３】図１２のＸＩＩＩ−ＸＩＩＩ線に沿う断面図である。
【図１４】本発明の実施の形態５におけるファイルの斜視図である。
【図１５】本発明の実施の形態５におけるファイルの変形例の斜視図である。
【発明を実施するための形態】
【０００８】
以下、本発明の実施の形態について図を参照して説明する。以下においては、同一または相当する部分に同一の符号を付すものとし、重複する説明は繰り返さない。
【０００９】
（実施の形態１）
図１〜図３を参照して、本発明の実施の形態１におけるファイル２００について説明する。図１および図２に示されるように、本実施の形態におけるファイル２００は、ファイル本体１００と、保持具１０とを主に有している。ファイル本体１００は、第１表紙１と、第２表紙２と、背表紙３と、綴じ具４とを主に有している。
【００１０】
第１表紙１および第２表紙２は、互いに向かい合うように背表紙３に接続されている。第１表紙１および第２表紙２は、背表紙３を挟んで互いに向かい合うように配置されている。第１表紙１および第２表紙２は、第１表紙１および第２表紙２が互いに向かい合う第１方向Ｄ１における背表紙３の両端を基端として開閉するように構成されている。第１表紙１、第２表紙２、背表紙３は、１枚の長方形状の薄板を、短辺に平行な折り曲げ線で折り曲げることにより一体的に構成されていてもよい。この薄板の材料は、例えば、厚紙、樹脂等である。
【００１１】
第１表紙１および第２表紙２の各々は、第１表紙１および第２表紙２が互いに向かい合う第１方向Ｄ１から見て略正方形状に構成されている。つまり、第１表紙１および第２表紙２は、第１方向Ｄ１に交差する第２方向Ｄ２および第３方向Ｄ３に略同じ寸法を有している。第２方向Ｄ２は、第１方向Ｄ１に交差するとともに背表紙３に沿う方向である。第３方向Ｄ３は、第１方向Ｄ１に交差するとともに背表紙３に交差する方向である。背表紙３は、第１方向Ｄ１に短辺を有しかつ第２方向Ｄ２に長辺を有する略長方形状に構成されている。
【００１２】
なお、第１表紙１および第２表紙２は、第１方向Ｄ１から見て略長方形状に構成されていてもよい。また、背表紙３は、第１方向Ｄ１および第２方向Ｄ２に略同じ寸法を有する略正方形状に構成されていてもよい。
【００１３】
綴じ具４は、背表紙３の内面に取り付けられている。綴じ具４は、第１表紙１と第２表紙２とに挟まれている。綴じ具４は、書類に開けられた孔に軸部材４ａを挿入して書類を綴じるように構成されている。
【００１４】
ファイル本体１００に保持具１０が取り付けられている。保持具１０は、第１表紙１および第２表紙２を保持するためのものである。保持具１０は、第１取付部１１と、第２取付部１２と、本体部１３とを主に有している。保持具１０は、帯状に構成されている。つまり、保持具１０は、薄板状に構成されている。保持具１０の材料は、例えば、厚紙、樹脂等である。
【００１５】
第１取付部１１は、第１表紙１に取り付けられる。第１取付部１１は、第１表紙１の内面に取り付けられる。第１取付部１１は、第１表紙１の背表紙３と反対側の端部（先端部）に取り付けられる。第１取付部１１は、第１表紙１の下端部および上端部に取り付けられる。
【００１６】
第１取付部１１は、第１取付片１１ａと、第２取付片１１ｂとを有している。第１取付片１１ａは第１表紙１の下端部に取り付けられ、第２取付片１１ｂは第１表紙１の上端部に取り付けられる。第１取付片１１ａは、保持具１０の下端部に配置されており、第２取付片１１ｂは保持具１０の上端部に配置されている。
【００１７】
第１取付部１１は、第１表紙１に面ファスナー５を介して取り付けられる。面ファスナー５は、互いに係合可能なループ部材５ａおよびフック部材５ｂを有している。第１取付部１１にループ部材５ａが取り付けられており、第１表紙１にフック部材５ｂが取り付けられている。なお、第１取付部１１にフック部材５ｂが取り付けられており、第１表紙１にループ部材５ａが取り付けられていてもよい。
【００１８】
第１取付片１１ａおよび第２取付片１１ｂの各々にループ部材５ａが取り付けられている。第１表紙１の内面の下端部および上端部にフック部材５ｂが取り付けられている。これらのフック部材５ｂは、第１表紙１の背表紙３と反対側の端部（先端部）に取り付けられている。第１取付片１１ａに取り付けられたループ部材５ａは、第１表紙１の内面の下端部に取り付けられたフック部材５ｂに対応するように位置している。第２取付片１１ｂに取り付けられたループ部材５ａは、第１表紙１の内面の上端部に取り付けられたフック部材５ｂに対応するように位置している。
【００１９】
第２取付部１２は、第２表紙２に取り付けられる。第２取付部１２は、第２表紙２の内面に取り付けられる。第２取付部１２は、第２表紙２の背表紙３と反対側の端部（先端部）に取り付けられる。第２取付部１２は、第２表紙２の下端部および上端部に取り付けられる。
【００２０】
第２取付部１２は、第１取付片１２ａと、第２取付片１２ｂとを有している。第１取付片１２ａは第２表紙２の下端部に取り付けられ、第２取付片１２ｂは第２表紙２の上端部に取り付けられる。第１取付片１２ａは、保持具１０の下端部に配置されており、第２取付片１２ｂは保持具１０の上端部に配置されている。
【００２１】
第２取付部１２は、第２表紙２に面ファスナー５を介して取り付けられる。第２取付部１２にループ部材５ａが取り付けられており、第２表紙２にフック部材５ｂが取り付けられている。なお、第２取付部１２にフック部材５ｂが取り付けられており、第２表紙２にループ部材５ａが取り付けられていてもよい。
【００２２】
第１取付片１２ａおよび第２取付片１２ｂの各々にループ部材５ａが取り付けられている。第２表紙２の内面の下端部および上端部にフック部材５ｂが取り付けられている。これらのフック部材５ｂは、第２表紙２の背表紙３と反対側の端部（先端部）に取り付けられている。第１取付片１２ａに取り付けられたループ部材５ａは、第２表紙２の内面の下端部に取り付けられたフック部材５ｂに対応するように位置している。第２取付片１２ｂに取り付けられたループ部材５ａは、第２表紙２の内面の上端部に取り付けられたフック部材５ｂに対応するように位置している。
【００２３】
本体部１３は、第１取付部１１と第２取付部１２とを接続する。本体部１３は、第１表紙１と第２表紙２との間隔を保持するように構成されている。本体部１３は、背表紙３と第１表紙１とのなす角度が直角となり、背表紙３と第２表紙２とのなす角度が直角となるように、第１表紙１と第２表紙２との間隔を保持することが好ましい。本体部１３は、第１表紙１と第２表紙２との間隔を背表紙３の第１方向Ｄ１の幅と同じ寸法に保持することが好ましい。
【００２４】
本体部１３は、ファイル２００の前面に配置されている。本体部１３は、第３方向Ｄ３に背表紙３と向かい合うように配置されている。本体部１３は、背表紙３と向かい合う第１位置に配置されている。本体部１３は、少なくともファイル本体１００の第１方向Ｄ１および第２方向Ｄ２の中央に配置されていることが好ましい。
【００２５】
本体部１３は、第３方向Ｄ３から見て略Ｘ字状に構成されている。本体部１３の第１方向Ｄ１における一方側に第１取付部１１が接続されており、本体部１３の第１方向Ｄ１における他方側に第２取付部１２が接続されている。本体部１３の第１方向Ｄ１における一方側に第１取付部１１の第１取付片１１ａおよび第２取付片１１ｂが接続されており、本体部１３の第１方向Ｄ１における他方側に第２取付部１２の第１取付片１２ａおよび第２取付片１２ｂが接続されている。本体部１３の四隅に、第１取付部１１の第１取付片１１ａおよび第２取付片１１ｂならびに第２取付部１２の第１取付片１２ａおよび第２取付片１２ｂが接続されている。
【００２６】
本体部１３は、第１凹部１４と、第２凹部１５と、中央部１６と、貫通孔１７とを有している。第１凹部１４は、第１表紙１と第２表紙２とが向かい合う第１方向Ｄ１に凹むように構成されている。第２凹部１５は、第１方向Ｄ１に交差する第２方向Ｄ２に凹むように構成されている。
【００２７】
中央部１６は、本体部１３の第１方向Ｄ１および第２方向Ｄ２の中央に配置されている。第１凹部１４は、第１方向Ｄ１において中央部１６の両側に設けられている。なお、第１凹部１４は、第１方向Ｄ１において中央部１６の片側のみに設けられていてもよい。第２凹部１５は、第２方向Ｄ２において中央部１６の両側に設けられている。なお、第２凹部１５は、第２方向Ｄ２において中央部１６の片側のみに設けられていてもよい。
【００２８】
中央部１６に貫通孔１７が設けられている。貫通孔１７は、使用者の指を挿通可能に構成されている。貫通孔１７は、使用者の複数の指が挿通されるように構成されていることが好ましい。貫通孔１７は、楕円状に構成されている。なお、貫通孔１７は、真円状に構成されていてもよく、矩形状に構成されていてもよい。
【００２９】
図３を参照して、保持具１０は、ファイル本体１００に着脱可能に構成されている。第１取付部１１は第１表紙１に着脱可能に構成されており、第２取付部１２は第２表紙２に着脱可能に構成されている。第１取付部１１に取り付けられたループ部材５ａを第１表紙１に取り付けられたフック部材５ｂに着脱し、第２取付部１２に取り付けられたループ部材５ａを第２表紙２に取り付けられたフック部材５ｂに着脱することにより、保持具１０はファイル本体１００に着脱されるように構成されている。なお、第１取付部１１および第２取付部１２の少なくもいずれかが着脱可能に構成されていればよい。
【００３０】
続いて、図４および図５を参照して、本実施の形態におけるファイル２００の変形例について説明する。図４に示されるように、本実施の形態におけるファイル２００の変形例では、本体部１３は、ファイル２００の底面に配置されている。つまり、本体部１３は、ファイル２００の下端部（底部）に配置されている。本体部１３は、背表紙３と交差する第２位置に配置されている。なお、本体部１３は、ファイル２００の天面に配置されていてもよい。つまり、本体部１３は、ファイル２００の上端部（天井部）に配置されていてもよい。
【００３１】
第１表紙１の内面の下端部に２つのフック部材５ｂが取り付けられている。これら２つのフック部材５ｂは、第１表紙１の背表紙３と反対側の端部（先端部）および背表紙３側の端部（基端部）に取り付けられている。これら２つのフック部材５ｂに、保持具１０の第１取付部１１の第１取付片１１ａおよび第２取付片１１ｂに取り付けられたループ部材５ａが係合している。
【００３２】
第２表紙２の内面の下端部に２つのフック部材５ｂが取り付けられている。これら２つのフック部材５ｂは、第２表紙２の背表紙３と反対側の端部（先端部）および背表紙３側の端部（基端部）に取り付けられている。これら２つのフック部材５ｂに、保持具１０の第２取付部１２の第１取付片１２ａおよび第２取付片１２ｂに取り付けられたループ部材５ａが係合している。
【００３３】
なお、第１表紙１の内面の上端部にフック部材５ｂが取り付けられており、第２表紙２の内面の上端部にフック部材５ｂが取り付けられている。このため、本体部１３は、背表紙３と向かい合う第１位置に配置することも可能である。したがって、本体部１３は、第１位置および第２位置のいずれかに配置されるように構成されている。つまり、保持具１０は、本体部１３がファイル２００の前面および底面のいずれかに配置されるように選択的にファイル本体１００に取り付けられるように構成されている。
【００３４】
図５を参照して、本実施の形態におけるファイル２００の変形例においても、保持具１０は、ファイル本体１００に着脱可能に構成されている。第１取付部１１は第１表紙１に着脱可能に構成されており、第２取付部１２は第２表紙２に着脱可能に構成されている。第１取付部１１および第２取付部１２に取り付けられたループ部材５ａを、第１表紙１および第２表紙２に取り付けられたフック部材５ｂに着脱することにより、保持具１０はファイル本体１００に着脱されるように構成されている。
【００３５】
図５に示される本実施の形態におけるファイル２００の変形例の保持具１０は、図３に示される本実施の形態におけるファイル２００の保持具１０と同じ形状に構成することが可能である。
【００３６】
次に、本実施の形態の作用効果について説明する。
本実施の形態の保持具１０によれば、本体部１３は、第１表紙１に取り付けられる第１取付部１１と第２表紙２に取り付けられる第２取付部１２とを接続し、第１表紙１と第２表紙２との間の間隔を保持するように構成されている。このため、本体部１３によって第１表紙１と第２表紙２との間隔が保持される。したがって、背表紙３と反対側において第１表紙１と第２表紙２との間隔が扇状に広がることを抑制することができる。これにより、使用者は小さい力でファイル２００をつかんで移動させることができる。よって、使用者が片手でファイル２００をつかんでファイルを書棚等に収納することが容易となる。
【００３７】
また、本体部１３が第１表紙１と第２表紙２との間隔を背表紙３の第１方向Ｄ１の幅と同じ寸法に保持することにより、背表紙３と反対側において第１表紙１と第２表紙２との間隔が狭くなることを抑制することができる。このため、背表紙３と反対側において第１表紙１と第２表紙２との間隔が狭くなることにより、ファイル２００が傾いて倒れることを抑制することができる。
【００３８】
また、第１取付部１１は第１表紙１の背表紙３と反対側の端部（先端部）に取り付けられ、第２取付部１２は第２表紙２の背表紙３と反対側の端部（先端部）に取り付けられる。このため、背表紙３と反対側において第１表紙１と第２表紙２との間隔が広がることを効果的に抑制することができる。
【００３９】
また、第１取付部１１は第１表紙１の上端部および下端部に取り付けられ、第２取付部１２は第２表紙２の上端部および下端部に取り付けられる。このため、背表紙３と反対側において第１表紙１と第２表紙２との間隔が広がることを効果的に抑制することができる。
【００４０】
また、使用者は、保持具１０をつかんでファイル２００を移動させることができる。このため、使用者は保持具１０をつかんでファイル２００を書棚等に収容することができる。したがって、使用者が背表紙３のみをつかんでファイル２００を移動させる場合に比べて、ファイル２００の向きを変える手間および労力を低減させることができる。
【００４１】
また、第１取付部１１は第１表紙１に着脱可能に構成されており、第２取付部１２は第２表紙２に着脱可能に構成されている。このため、第１取付部１１および第２取付部１２のいずれかを外して綴じ具４に書類等を綴じることが可能となる。
【００４２】
本実施の形態における保持具１０によれば、本体部１３は、背表紙３と向かい合う第１位置または背表紙３と交差する第２位置のいずれかに配置されるように構成されている。このため、保持具１０を第１位置および第２位置に選択的に配置することができる。したがって、保持具１０の配置の自由度を向上させることができる。
【００４３】
本実施の形態における保持具１０によれば、本体部１３は、第１方向Ｄ１に凹む第１凹部１４と、第２方向Ｄ２に凹む第２凹部１５とを有している。このため、使用者は、第１凹部１４および第２凹部１５の少なくともいずれかに指をかけてファイル２００をつかんでファイル２００を移動させることができる。
【００４４】
本実施の形態における保持具１０によれば、本体部１３の中央部１６に貫通孔１７が設けられている。このため、使用者は、貫通孔１７に指をかけてファイル２００をつかんでファイル２００を移動させることができる。
【００４５】
本実施の形態におけるファイル２００は、上記の保持具１０を備えている。このため、本実施の形態のファイル２００によれば、上記の保持具１０の効果を奏するファイル２００を提供することができる。
【００４６】
（実施の形態２）
図６〜図８を参照して本発明の実施の形態２におけるファイル２００について説明する。本発明の実施の形態２では、特に説明しない限り、上記の本発明の実施の形態１と同様の構成を備えているため、同一の要素については同一の符号を付し、その説明を繰り返さない。
【００４７】
図６に示されるように、本実施の形態におけるファイル２００では、保持具１０の第１取付部１１は、第１表紙１に取付具２０により取り付けられている。取付具２０は、第１取付部１１の四隅に取り付けられている。保持具１０の第２取付部１２は、第２表紙２に取付具３０により取り付けられている。取付具３０は、第２取付部１２の四隅に取り付けられている。
【００４８】
図７に示されるように、取付具２０は、受けネジ２１と、ネジ２２とを有している。受けネジ２１およびネジ２２は、第１表紙１および第１取付部１１を挟んで互いに螺合されている。受けネジ２１の内周面にネジ溝２１ａが設けられている。ネジ２２は、頭２２ａと、軸２２ｂとを有している。頭２２ａは、軸２２ｂの径方向に軸２２ｂから張り出している。軸２２ｂは、頭２２ａから受けネジ２１に向けて突出している。軸２２ｂは、第１表紙１に設けられた貫通孔Ｈ１および第１取付部１１に設けられた貫通孔Ｈ２に挿通されている。第１表紙１の貫通孔Ｈ１および第１取付部１１の貫通孔Ｈ２は穴開けパンチにより開けられてもよい。
【００４９】
軸２２ｂの受けネジ２１側の外周面にネジ山２２ｃが設けられている。ネジ山２２ｃはネジ溝２１ａに螺合するように構成されている。第１表紙１の貫通孔Ｈ１および第１取付部１１の貫通孔Ｈ２に軸２２ｂが挿通された状態でネジ山２２ｃがネジ溝２１ａに螺合することにより、第１取付部１１は第１表紙１に固定されている。
【００５０】
図８に示されるように、取付具３０は、第１部材３１と、第２部材３２とを有している。第１部材３１および第２部材３２は、第２表紙２および第２取付部１２を挟んで互いに係合されている。第１部材３１の中央には貫通孔３１ａが設けられている。第２部材３２は、頭部３２ａと、軸部３２ｂと、先端部３３ｃとを有している。頭部３２ａは、軸部３２ｂの径方向に軸部３２ｂから張り出している。軸部３２ｂは、頭部３２ａから第１部材３１に向けて突出している。軸部３２ｂは、第２表紙２に設けられた貫通孔Ｈ３および第２取付部１２に設けられた貫通孔Ｈ４に挿通されている。第２表紙２の貫通孔Ｈ３および第２取付部１２の貫通孔Ｈ４は穴開けパンチにより開けられてもよい。
【００５１】
先端部３３ｃは、軸部３２ｂに対して頭部３２ａと反対側に配置されている。先端部３３ｃは、軸部３２ｂの径方向に軸部３２ｂから張り出している。先端部３３ｃは、軸部３２ｂが第１部材３１の貫通孔３１ａに挿通された状態で、第１部材３１の第２取付部１２と反対側の面に係止されるように構成されている。先端部３３ｃおよび軸部３２ｂの中央に先端部３３ｃから軸部３２ｂにわたって溝部３３ｄが設けられている。
【００５２】
第２表紙２の貫通孔Ｈ３、第２取付部１２の貫通孔Ｈ４および第１部材３１の貫通孔３１ａに軸部３２ｂが挿通された状態で先端部３３ｃの張出部分が第１部材３１の第２取付部１２と反対側の面に係止されることにより、第２取付部１２は第２表紙２に取り付けられている。第１部材３１の貫通孔３１ａに第２部材３２の先端部３３ｃが挿抜される際に溝部３３ｄの間隔が狭くなることで、第２部材３２は、第１部材３１に工具を使わずに着脱することができる。したがって、取付具３０により、第２取付部１２は、第２表紙２に着脱可能に取り付けられている。
【００５３】
貫通孔Ｈ１〜Ｈ４を開けるために、穴開け目安用具が用いられてもよい。穴開け目安用具には、貫通孔Ｈ１〜Ｈ４に対応する位置に穴が開けられており、この穴を通して筆記用具で貫通孔Ｈ１〜Ｈ４を開ける位置に印をつけることにより、貫通孔Ｈ１〜Ｈ４を開ける位置を示すことが可能となる。これにより、貫通孔Ｈ１〜Ｈ４を適切な位置に設けることが容易となる。
【００５４】
取付具３０は、第１部材３１に第２部材３２が着脱可能に係合されていればよい。例えば、取付具３０は、第２部材３２が貫通孔３１ａに挿通された状態で折り曲げられるように変形可能なフックにより構成されていてもよい。また、取付具３０は、第１部材３１および第２部材３２が互いに着脱可能な凹凸を有するように構成されていてもよい。
【００５５】
続いて、図８を参照して、本実施の形態における保持具１０の変形例について説明する。図８に示されるように、本実施の形態における保持具１０の変形例では、第１取付部１１の貫通孔Ｈ２および第２取付部１２の貫通孔Ｈ４は十字状に設けられている。
【００５６】
本実施の形態における保持具１０によれば、第１取付部１１は、第１表紙１に固定されており、第２取付部１２は、第２表紙２に着脱可能に取り付けられている。このため、第１取付部１１を第１表紙１に固定しつつ、第２取付部１２を第２表紙２から外して綴じ具４に書類等を綴じることが可能となる。
【００５７】
また、第１取付部１１の貫通孔Ｈ２および第２取付部１２の貫通孔Ｈ４が十字状に設けられているため、貫通孔Ｈ１内を軸２２ｂが十字状に移動可能となり、貫通孔Ｈ４内を軸部３２ｂが十字状に移動可能となる。このため、第１取付部１１に対する取付具２０の位置を変化させることができ、第２取付部１２に対する取付具３０の位置を変化させることができる。したがって、保持具１０によって、第１表紙１と第２表紙２との間隔を可変にすることができる。
【００５８】
（実施の形態３）
図１０を参照して、本発明の実施の形態３におけるファイル２００について説明する。本発明の実施の形態３では、特に説明しない限り、上記の本発明の実施の形態１と同様の構成を備えているため、同一の要素については同一の符号を付し、その説明を繰り返さない。
【００５９】
図１０に示されるように、本実施の形態におけるファイル２００では、本体部１３は、グリップ部１３ａと、表示部４０とを有している。グリップ部１３ａは、第１凹部１４と、第２凹部１５と、中央部１６と、貫通孔１７とを有している。表示部４０は、グリップ部１３ａに対して背表紙３と反対側に配置されている。表示部４０は、第１表紙１と第２表紙２との間の空間に対して背表紙３と反対側に配置されている。表示部４０は、ファイル２００の名称などを表示するためのものである。表示部４０は、収容部４１と、表示札４２とを有している。収容部４１は、透明な部材で構成されている。表示札４２には、ファイル２００の名称などを表示することが可能である。表示札４２は、収容部４１に収容されるように構成されている。図１０中矢印で示されるように、収容部４１に表示札４２が挿入されることで、表示札４２に表示されたファイル２００の名称などを表示部４０に表示することが可能となる。
【００６０】
本実施の形態における保持具１０によれば、本体部１３は表示部４０を有しているため、表示部４０にファイル２００の名称などを表示することができる。このため、表示部４０を背表紙３と同様に用いることができる。したがって、背表紙３のみにファイル２００の名称などを表示する場合に比べて、ファイル２００の向きを変える手間および労力を低減させることができる。
【００６１】
（実施の形態４）
図１１を参照して、本発明の実施の形態４におけるファイル２００について説明する。本発明の実施の形態４では、特に説明しない限り、上記の本発明の実施の形態３と同様の構成を備えているため、同一の要素については同一の符号を付し、その説明を繰り返さない。
【００６２】
図１１に示されるように、本実施の形態におけるファイル２００では、保持具１０のグリップ部１３ａは、透明な部材で構成されている。グリップ部１３ａは、表示部４０に対して背表紙３と反対側に配置されている。つまり、表示部４０は、グリップ部１３ａと背表紙３との間に配置されている。
【００６３】
グリップ部１３ａは、表示部４０の収容部４１の上部および下部の各々に接続されており、収容部４１の中央に接続されていない。具体的には、グリップ部１３ａは、貫通孔１７の周囲で収容部４１に接続されていない。
【００６４】
本実施の形態における保持具１０によれば、グリップ部１３ａおよび収容部４１は透明な部材で構成されているため、背表紙３と反対側から表示部４０の表示札４２に表示されたファイル２００の名称などを視認することができる。
【００６５】
また、グリップ部１３ａは貫通孔１７の周囲で収容部４１に接続されていないため、貫通孔１７の周囲でグリップ部１３ａと収容部４１との間に貫通孔１７に入れた指を配置することができる。このため、貫通孔１７に指を入れて保持具１０を掴むことが容易となる。したがって、保持具１０を掴みやすくすることができる。
【００６６】
続いて、図１２および図１３を参照して、本実施の形態における保持具１０の変形例について説明する。
【００６７】
図１２および図１３に示されるように、本実施の形態における保持具１０の変形例では、グリップ部１３ａの中央は、背表紙３と反対側に突き出すように構成されている。具体的には、グリップ部１３ａは、貫通孔１７の周囲で背表紙３と反対側に突き出すように構成されている。グリップ部１３ａの中央は、弓なりに湾曲するように構成されていてもよい。
【００６８】
表示部４０の収容部４１は、上下に真っ直ぐに伸びるように構成されている。つまり、収容部４１は、平板状に構成されている。したがって、グリップ部１３ａは、貫通孔１７の周囲で収容部４１との間に隙間が設けられるように構成されている。
【００６９】
収容部４１は、第１側面部４１ａと、第２側面部４１ｂと、底面部４１ｃとを有している。第１側面部４１ａは本体部１３に接続されている。第１側面部４１ａと第２側面部４１ｂとは互いに向かい合うように配置されている。底面部４１ｃは、第１側面部４１ａおよび第２側面部４１ｂの各々の下端同士を接続するように構成されている。第１側面部４１ａおよび第２側面部４１ｂの各々の上端には開口が設けられている。この開口から第１側面部４１ａと第２側面部４１ｂとの間に挿入された表示札４２は底面部４１ｃに載置されている。
【００７０】
本実施の形態における保持具１０の変形例によれば、グリップ部１３ａは、貫通孔１７の周囲で収容部４１との間に隙間が設けられるように構成されている。このため、この隙間に貫通孔１７に入れた指を配置することができる。このため、貫通孔１７に指を入れて保持具１０を掴むことがさらに容易となる。したがって、保持具１０をさらに掴みやすくすることができる。
【００７１】
（実施の形態５）
図１４を参照して本発明の実施の形態５におけるファイル２００について説明する。本発明の実施の形態５では、特に説明しない限り、上記の本発明の実施の形態１の変形例および実施の形態３と同様の構成を備えているため、同一の要素については同一の符号を付し、その説明を繰り返さない。
【００７２】
図１４に示されるように、本実施の形態におけるファイル２００では、保持具１０の本体部１３は、ファイル２００の底面に配置されている。そのため、グリップ部１３ａは、ファイル２００の底面に配置されている。表示部４０は、グリップ部１３ａに対してファイル２００の天面と反対側に配置されている。表示部４０は、グリップ部１３ａに対して第１表紙１と第２表紙２との間の空間と反対側に配置されている。
【００７３】
なお、本体部１３はファイル２００の天面に配置されていてもよい。つまり、グリップ部１３ａは、ファイル２００の天面に配置されていてもよい。
【００７４】
本実施の形態における保持具１０によれば、たとえば、ファイル２００の背表紙３を底にしてファイル２００が書棚等に収納されたときに、ファイル２００の天面と反対側から表示部４０を視認することができる。したがって、収容部４１に挿入された表示札４２に表示されたファイル２００の名称などを視認することができる。
【００７５】
続いて、図１５を参照して、本実施の形態の変形例について説明する。本実施の形態の変形例では、特に説明しない限り、上記の本発明の実施の形態１の変形例および実施の形態４と同様の構成を備えているため、同一の要素については同一の符号を付し、その説明を繰り返さない。
【００７６】
図１５に示されるように、本実施の形態の変形例では、保持具１０のグリップ部１３ａおよび収容部４１は、透明な部材で構成されている。グリップ部１３ａは、表示部４０に対してファイル２００の天面と反対側に配置されている。つまり、表示部４０は、グリップ部１３ａとファイル２００の天面との間に配置されている。
【００７７】
本実施の形態における保持具１０の変形例によれば、グリップ部１３ａおよび収容部４１は透明な部材で構成されているため、たとえば、ファイル２００の背表紙３を底にしてファイル２００が書棚等に収納されたときに、ファイル２００の天面と反対側から表示部４０の表示札４２に表示されたファイル２００の名称などを視認することができる。
【００７８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることを意図される。
【符号の説明】
【００７９】
１  第１表紙、２  第２表紙、３  背表紙、４  綴じ具、５  面ファスナー、５ａ  ループ部材、５ｂ  フック部材、１０  保持具、１１  第１取付部、１２  第２取付部、１３  本体部、１４  第１凹部、１５  第２凹部、１６  中央部、１７  貫通孔、２０，３０  取付具、４０  表示部、１００  ファイル本体、２００  ファイル。
【図１】
2020124893.tif 000003
【図２】
2020124893.tif 000004
【図３】
2020124893.tif 000005
【図４】
2020124893.tif 000006
【図５】
2020124893.tif 000007
【図６】
2020124893.tif 000008
【図７】
2020124893.tif 000009
【図８】
2020124893.tif 000010
【図９】
2020124893.tif 000011
【図１０】
2020124893.tif 000012
【図１１】
2020124893.tif 000013
【図１２】
2020124893.tif 000014
【図１３】
2020124893.tif 000015
【図１４】
2020124893.tif 000016
【図１５】
2020124893.tif 000017